(57)【要約】【課題】コーキング処理を施さなくても、屋根を吊上げるための吊上げ部材部分からの雨水の浸入を防止する。【解決手段】電気機器を収納する箱体２ａ、２ｂと、箱体２ａ、２ｂの天井部に設けられた屋根３ａ、３ｂと、屋根３ａ、３ｂ外面の奥行方向に固定されるとともに、この屋根３ａ、３ｂを吊上げるための吊ボルト６ａ、６ｂなどの吊上げ部材と、吊上げ部材および屋根３ａ、３ｂの端部を覆うように設けられるとともに、一方の屋根３ａ、（３ｂ）に固定された端部防水カバー４ａ、４ｂ、５とを具備したことを特徴とする。【選択図】図１
2010279102.tif 000002
【特許請求の範囲】
【請求項１】
電気機器を収納する箱体と、
前記箱体の天井部に設けられた屋根と、
前記屋根外面の奥行方向に固定されるとともに、この屋根を吊上げるための吊上げ部材と、
前記吊上げ部材および前記屋根の端部を覆うように設けられるとともに、前記屋根に固定された防水カバーと、
を具備したことを特徴とする金属閉鎖形スイッチギヤ。
【請求項２】
前記吊上げ部材は、複数の吊ボルトであることを特徴とする請求項１に記載の金属閉鎖形スイッチギヤ。
【請求項３】
前記吊上げ部材は、吊孔を有するＬ字アングルであることを特徴とする請求項１に記載の金属閉鎖形スイッチギヤ。
【請求項４】
電気機器を収納する箱体と、
前記箱体の天井部に設けられた屋根と、
前記屋根内面の幅方向に固定されるとともに、端部に吊孔を有する吊上げ部材と、
前記吊孔および前記屋根の端部を覆うように設けられるとともに、前記屋根に固定された防水カバーと、
を具備したことを特徴とする金属閉鎖形スイッチギヤ。
【請求項５】
前記防水カバーを断面Ｕ字状としたことを特徴とする請求項１乃至請求項４のいずれか１項に記載の金属閉鎖形スイッチギヤ。
【発明の詳細な説明】
【技術分野】
【０００１】
本発明は、箱体の天井部に屋根を設けた屋外に設置される金属閉鎖形スイッチギヤに関する。
【背景技術】
【０００２】
従来、遮断器などの電気機器を箱体内に収納した金属閉鎖形スイッチギヤを屋外に設置するときには、雨水の浸入を防止するため、箱体の天井部に屋根が設けられている（例えば、特許文献１参照。）。
【０００３】
屋外に設置する金属閉鎖形スイッチギヤを図９に示すが、据付架台１に固定された複数の箱体２ａ、２ｂの天井部には、傾斜を持った屋根３ａ、３ｂがそれぞれ設けられている。屋根３ａ、３ｂの端部には端部防水カバー４ａ、４ｂ、屋根３ａ、３ｂ間の連結部には連結防水カバー５が設けられている。
【０００４】
屋根３ａ、３ｂには、クレーンなどで吊り上げるための吊ボルト６ａ、６ｂがそれぞれ設けられている。吊ボルト６ａ、６ｂは、屋根３ａ、３ｂに取付けられた状態で運転される。なお、箱体２ａ、２ｂの正面側には、ハンドル７ａ、７ｂ、盤銘板８ａ、８ｂが取付けられる。
【先行技術文献】
【特許文献】
【０００５】
【特許文献１】特開２００５−３３８４９号公報  （第２ページ、図１０）
【発明の概要】
【発明が解決しようとする課題】
【０００６】
上記の従来の金属閉鎖形スイッチギヤにおいては、次のような問題がある。屋根３ａ、３ｂを箱体２ａ、２ｂに固定し、端部防水カバー４ａ、４ｂ、および連結防水カバー５を取付けた後には、屋根３ａ、３ｂと吊ボルト６ａ、６ｂの隙間をシリコンなどのコーキング材でコーキング処理する。これにより、屋根３ａ、３ｂ内部への雨水の浸入を防止することができる。
【０００７】
しかしながら、コーキング処理は、箱体２ａ、２ｂ据付け後の現地作業となることが多く、細心の注意を払わなくてはならなかった。即ち、環境が異なり短時間でのコーキング処理を要求され、困難な作業となっていた。なお、屋根３ａ、３ｂと吊ボルト６ａ、６ｂの隙間が完全に塞がれていないと、雨水が浸入し、屋根３ａ、３ｂなどに錆を発生させ、箱体２ａ、２ｂ内への雨水の浸入を招くことになる。このため、コーキング処理を不要とし雨水の浸入を防止できる屋根３ａ、３ｂの吊上げ方法が望まれていた。
【０００８】
本発明は上記問題を解決するためになされたもので、コーキング処理を不要とし、屋根からの雨水の浸入を防止する金属閉鎖形スイッチギヤを提供することを目的とする。
【課題を解決するための手段】
【０００９】
上記目的を達成するために、本発明の金属閉鎖形スイッチギヤは、電気機器を収納する箱体と、前記箱体の天井部に設けられた屋根と、前記屋根外面の奥行方向に固定されるとともに、この屋根を吊上げるための吊上げ部材と、前記吊上げ部材および前記屋根の端部を覆うように設けられるとともに、前記屋根に固定された防水カバーとを具備したことを特徴とする。
【発明の効果】
【００１０】
本発明によれば、屋根端部に吊上げ部材を取付け、この吊上げ部材を含めた屋根端部を防水カバーで覆っているので、吊上げ部材のコーキング処理が不要で雨水の浸入を防ぐことができる。
【図面の簡単な説明】
【００１１】
【図１】本発明の実施例１に係る金属閉鎖形スイッチギヤの構成を示す正面図。
【図２】本発明の実施例１に係る金属閉鎖形スイッチギヤの屋根部分を示す要部断面図。
【図３】本発明の実施例２に係る金属閉鎖形スイッチギヤの屋根部分を示す要部断面図。
【図４】本発明の実施例３に係る金属閉鎖形スイッチギヤの構成を示す正面図。
【図５】本発明の実施例３に係る金属閉鎖形スイッチギヤの屋根部分を示す要部断面図。
【図６】本発明の実施例３に係る金属閉鎖形スイッチギヤの屋根部分を示す要部側面図。
【図７】本発明の実施例４に係る金属閉鎖形スイッチギヤの構成を示す正面図。
【図８】本発明の実施例４に係る金属閉鎖形スイッチギヤの屋根部分を示す要部断面図。
【図９】従来の金属閉鎖形スイッチギヤの構成を示す正面図。
【発明を実施するための形態】
【００１２】
以下、図面を参照して本発明の実施例を説明する。
【実施例１】
【００１３】
先ず、本発明の実施例１に係る金属閉鎖形スイッチギヤを図１、図２を参照して説明する。図１は、本発明の実施例１に係る金属閉鎖形スイッチギヤの構成を示す正面図、図２は、本発明の実施例１に係る金属閉鎖形スイッチギヤの屋根部分を示す要部断面図である。なお、各図において、従来と同様の構成部分については、同一符号を付した。また、箱体は、２面列盤の構成で説明する。
【００１４】
図１に示すように、据付架台１に固定された遮断器などの電気機器を収納する複数の箱体２ａ、２ｂの天井部には、傾斜を持った屋根３ａ、３ｂがそれぞれ設けられている。屋根３ａ、３ｂの端部には奥行方向であって正面側から背面側までを覆うような断面コ字状の端部防水カバー４ａ、４ｂ、屋根３ａ、３ｂ間の連結部にも奥行方向であって正面側から背面側までを覆うような断面コ字状の連結防水カバー５が設けられている。なお、端部防水カバー４ａ、４ｂと連結防水カバー５は、従来よりも幅広となっている。屋根３ａ、３ｂは、図示しない箱体２ａ、２ｂの天井部に固定された固定部材に固定される。
【００１５】
屋根３ａ、３ｂの外面の端部には、クレーンなどで吊り上げるための複数の吊ボルト６ａ、６ｂがそれぞれ設けられている。吊ボルト６ａ、６ｂは、屋根３ａ、３ｂの奥行方向の両端部に複数個所設けられ、端部防水カバー４ａ、４ｂまたは連結防水カバー５に覆われるようになっている。なお、箱体２ａ、２ｂの正面側には、ハンドル７ａ、７ｂ、盤銘板８ａ、８ｂが取付けられる。
【００１６】
次に、連結防水カバー５部分の吊ボルト６ａ、６ｂの配置状況を図２を参照して説明する。
【００１７】
図２に示すように、屋根３ａ、３ｂの端面は、上方向にＬ字状に折曲げた折曲げ部３ａ１、３ｂ１が形成されており、その外側に吊ボルト６ａ、６ｂがナット９ａ、９ｂで固定されている。隣接する屋根３ａ、３ｂの吊ボルト６ａ、６ｂ間を含む折曲げ部３ａ１、３ｂ１間は、連結防水カバー５で覆われている。連結防水カバー５は、シリコンゴムのような防水パッキン１０を介してステンレスなどからなる固定ボルト１１で一方の屋根３ａに固定されている。
【００１８】
これにより、吊ボルト６ａ、６ｂ部分は、連結防水カバー５で覆われているので、容易に雨水が浸入することがなく、コーキング処理が不要である。また、想定外の降雨で連結防水カバー５内に雨水が浸入したとしても、屋根３ａ、３ｂ端面には折曲げ部３ａ１、３ｂ１が設けられているので、箱体２ａ、２ｂ側への浸入を防ぐことができる。
【００１９】
上記実施例１の金属閉鎖形スイッチギヤによれば、屋根３ａ、３ｂ端部に吊ボルト６ａ、６ｂを取付け、吊ボルト６ａ−６ｂ間を連結防水カバー５で覆っているので、吊ボルト６ａ、６ｂへのコーキング処理が不要で雨水の浸入を防ぐことができ、屋根３ａ、３ｂの取付け作業を短時間で容易とすることができる。
【００２０】
上記実施例１では、列盤時の連結部に用いる連結防水カバー５を用いて説明したが、端部防水カバー４ａ、４ｂにおいても、吊ボルト６ａ、または６ｂをそれぞれ覆うことで、コーキング処理が不要で雨水の浸入を防ぐことができる。なお、単独盤では、端部防水カバー４ａ、４ｂのみとなる。
【００２１】
ここで、連結防水カバー５と端部防水カバー４ａ、４ｂとを単に防水カバーと称する。また、吊ボルト６ａ、６ｂを屋根３ａ、３ｂを吊上げるための吊上げ部材と称する。
【実施例２】
【００２２】
次に、本発明の実施例２に係る金属閉鎖形スイッチギヤを図３を参照して説明する。図３は、本発明の実施例２に係る金属閉鎖形スイッチギヤの屋根部分を示す要部断面図である。なお、この実施例２が実施例１と異なる点は、防水カバーの形状である。図３において、実施例１と同様の構成部分においては、同一符号を付し、その詳細な説明を省略する。
【００２３】
図３に示すように、吊ボルト６ａ、６ｂ間を覆う連結防水カバー１２は、断面Ｕ字状となっている。
【００２４】
上記実施例２によれば、実施例１と同様の効果が得られるほかに、連結防水カバー１２の雨水の排水性が向上する。
【実施例３】
【００２５】
次に、本発明の実施例３に係る金属閉鎖形スイッチギヤを図４〜図６を参照して説明する。図４は、本発明の実施例３に係る金属閉鎖形スイッチギヤの構成を示す正面図、図５は、本発明の実施例３に係る金属閉鎖形スイッチギヤの屋根部分を示す要部断面図、図６は、本発明の実施例３に係る金属閉鎖形スイッチギヤの屋根部分を示す要部側面図である。なお、この実施例３が実施例１と異なる点は、吊上げ部材である。図４〜図６において、実施例１と同様の構成部分においては、同一符号を付し、その詳細な説明を省略する。
【００２６】
図４、図５に示すように、屋根３ａ、３ｂの外面の端部には、正面側から背面側までの奥行方向にＬ字アングル１３ａ、１３ｂが設けられている。Ｌ字アングル１３ａ、１３ｂの屋根３ａ、３ｂと平行する一側面は、固定ボルト１４ａ、１４ｂとナット１５ａ、１５ｂで屋根３ａ、３ｂに固定されている。Ｌ字アングル１３ａ、１３ｂの他側面には、連結防水カバー５の側面が防水パッキン１０を介して固定ボルト１６で固定されている。隣接する屋根３ａ、３ｂの折曲げ部３ａ１、３ｂ１間を含むＬ字アングル１３ａ、１３ｂ間は、連結防水カバー５で覆われている。
【００２７】
また、Ｌ字アングル１３ａ、１３ｂの他側面には、図６に示すように、屋根３ａ、３ｂを吊上げるための吊孔１７と、固定ボルト１６を締め込むネジ孔１８が設けられている。ここで、Ｌ字アングル１３ａ、１３ｂを吊上げ部材と称する。
【００２８】
上記実施例３によれば、実施例１と同様の効果が得られるほかに、Ｌ字アングル１３ａ、１３ｂを用いているので、屋根３ａ、３ｂの歪みを防止でき、重量物の屋根３ａ、３ｂにも耐え得るようになる。
【００２９】
上記実施例３では、Ｌ字アングル１３ａ、１３ｂを固定ボルト１４ａ、１４ｂとナット１５ａ、１５ｂで屋根３ａ、３ｂに固定したが、スポット溶接などでＬ字アングル１３ａ、１３ｂを直接、屋根３ａ、３ｂに固定してもよい。
【実施例４】
【００３０】
次に、本発明の実施例４に係る金属閉鎖形スイッチギヤを図７、図８を参照して説明する。図７は、本発明の実施例４に係る金属閉鎖形スイッチギヤの構成を示す正面図、図８は、本発明の実施例４に係る金属閉鎖形スイッチギヤの屋根部分を示す要部断面図である。なお、この実施例４が実施例１と異なる点は、吊上げ部材である。図７、図８において、実施例１と同様の構成部分においては、同一符号を付し、その詳細な説明を省略する。
【００３１】
図７、図８に示すように、屋根３ａ、３ｂの内面には、幅方向の正面側と背面側にそれぞれＬ字アングル１３ａ、１３ｂが設けられている。Ｌ字アングル１３ａ、１３ｂの屋根３ａ、３ｂと平行する一側面は、固定ボルト１４ａ、１４ｂとナット１５ａ、１５ｂで屋根３ａ、３ｂに固定されている。Ｌ字アングル１３ａ、１３ｂの他側面の端部には、屋根３ａ、３ｂを吊上げるための吊孔１７ａ、１７ｂが設けられている。吊孔１７ａ、１７ｂ間を含む折曲げ部３ａ１、３ｂ１間は、連結防水カバー５で覆われている。
【００３２】
上記実施例４によれば、実施例１と同様の効果が得られるほかに、Ｌ字アングル１３ａ、１３ｂを屋根３ａ、３ｂの内面に設けているので、連結防水カバー５の高さを抑えることができる。
【符号の説明】
【００３３】
１  据付架台
２ａ、２ｂ  箱体
３ａ、３ｂ  屋根
３ａ１、３ｂ１  折曲げ部
４ａ、４ｂ  端部防水カバー
５、１２  連結防水カバー
６ａ、６ｂ  吊ボルト
７ａ、７ｂ  ハンドル
８ａ、８ｂ  盤銘板
９ａ、９ｂ、１５ａ、１５ｂ  ナット
１０  防水パッキン
１１、１４ａ、１４ｂ、１６  固定ボルト
１３ａ、１３ｂ  Ｌ字アングル
１７、１７ａ、１７ｂ  吊孔
１８  ネジ孔
【図１】
2010279102.tif 000003
【図２】
2010279102.tif 000004
【図３】
2010279102.tif 000005
【図４】
2010279102.tif 000006
【図５】
2010279102.tif 000007
【図６】
2010279102.tif 000008
【図７】
2010279102.tif 000009
【図８】
2010279102.tif 000010
【図９】
2010279102.tif 000011